【手続補正書】
【提出日】平成18年11月17日(2006.11.17)
【手続補正１】
【補正対象書類名】明細書
【補正対象項目名】特許請求の範囲
【補正方法】変更
【補正の内容】
【特許請求の範囲】
【請求項１】  遊技中に発生するデータを一時的に格納するＲＡＭと、
前記ＲＡＭにバックアップされたデータを消去するためのメモリクリア信号を出力する回路と、
この回路の動作をＯＮ・ＯＦＦするスイッチと、
を備えたことを特徴とする遊技機。
【請求項２】  電源遮断時に、メインＣＰＵから、賞球の払出しを制御する払出制御基板および払出制御基板以外の各サブ基板へ送信していた制御コマンドをバックアップする第１のＲＡＭと、
賞球払出しに関するデータをバックアップする第２のＲＡＭと、
前記第１のＲＡＭにバックアップされた制御コマンドまたは第２のＲＡＭにバックアップされた賞球払出しに関するデータを消去するためのメモリクリア信号を出力する回路と、
操作すると、前記回路から、前記第１のＲＡＭへ前記メモリクリア信号が出力される第１のスイッチと、
操作すると、前記回路から、前記第２のＲＡＭへ前記メモリクリア信号が出力される第２のスイッチと、
を備えたことを特徴とする遊技機。
【請求項３】  前記第１のＲＡＭにバックアップされた前記制御コマンドの消去完了を報知する第１のＬＥＤと、
前記第２のＲＡＭにバックアップされた前記賞球払出しに関するデータの消去完了を報知する第２のＬＥＤと、
を備えたことを特徴とする請求項２に記載の遊技機。
【請求項４】  前記メモリクリア信号を出力できる期間が設定されており、その期間が経過すると前記メモリクリア信号を出力できないことを特徴とする請求項１ないし請求項３のいずれか１つに記載の遊技機。
【手続補正２】
【補正対象書類名】明細書
【補正対象項目名】０００６
【補正方法】変更
【補正の内容】
【０００６】
しかし、その後の検討により、記憶されている賞球数や入賞球数を静電気ノイズや不正行為によって書き換えられた場合に、その書換えられたデータを消去しようと電源を遮断しても、バックアップ機能が働いてしまうため、書換えられたデータを消去できないということが分かった。
また、パチンコホールの開店前にパチンコ機を試射して最終調整を行っている場合に大当りが発生することがあり、その場合、所定数の賞球を払出すべき賞球データがＲＡＭに記憶される。
したがって、そのような状態で開店すると、ＲＡＭの記憶に基づいて所定数の賞球が払出されてしまうため、店側が不利益をこうむるおそれのあることが分かった。
さらに、開店前の試射中に発生した制御データがバックアップされていると、遊技者が開店時に遊技を行う場合に、バックアップされた制御データに基づいて遊技が開始されてしまうため、遊技者が違和感を覚えるおそれがあった。
【手続補正３】
【補正対象書類名】明細書
【補正対象項目名】０００７
【補正方法】変更
【補正の内容】
【０００７】
そこで、この発明は、バックアップ電源によって記憶を保持されているデータを消去できる遊技機を実現することを目的とする。
【手続補正４】
【補正対象書類名】明細書
【補正対象項目名】０００８
【補正方法】変更
【補正の内容】
【０００８】
【課題を解決するための手段・作用および効果】
この発明は、上記目的を達成するため、請求項１に記載の発明では、遊技中に発生するデータを一時的に格納するＲＡＭと、前記ＲＡＭにバックアップされたデータを消去するためのメモリクリア信号を出力する回路と、この回路の動作をＯＮ・ＯＦＦするスイッチと、を備えたという技術的手段を用いる。
【手続補正５】
【補正対象書類名】明細書
【補正対象項目名】０００９
【補正方法】変更
【補正の内容】
【０００９】
つまり、スイッチを操作すると回路からメモリクリア信号が出力され、ＲＡＭにバックアップされたデータを消去することができる。
【手続補正６】
【補正対象書類名】明細書
【補正対象項目名】００１０
【補正方法】変更
【補正の内容】
【００１０】
請求項２に記載の発明では、電源遮断時に、メインＣＰＵから、賞球の払出しを制御する払出制御基板および払出制御基板以外の各サブ基板へ送信していた制御コマンドをバックアップする第１のＲＡＭと、賞球払出しに関するデータをバックアップする第２のＲＡＭと、前記第１のＲＡＭにバックアップされた制御コマンドまたは第２のＲＡＭにバックアップされた賞球払出しに関するデータを消去するためのメモリクリア信号を出力する回路と、操作すると、前記回路から、前記第１のＲＡＭへ前記メモリクリア信号が出力される第１のスイッチと、操作すると、前記回路から、前記第２のＲＡＭへ前記メモリクリア信号が出力される第２のスイッチと、を備えたという技術的手段を用いる。
【手続補正７】
【補正対象書類名】明細書
【補正対象項目名】００１１
【補正方法】変更
【補正の内容】
【００１１】
つまり、第２のＲＡＭにバックアップされている賞球払出しに関するデータが、静電気ノイズや不正行為によって書き換えられている場合であっても、上記スイッチを操作することにより、その書換えられたデータを消去することができる。
したがって、第２のＲＡＭにバックアップされている記憶に基づいて所定数の賞球が払出されてしまい、店側が不利益をこうむってしまうおそれがない。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
たとえば、パチンコ機では、大当りが発生すると、メインＣＰＵ（１１２）がＯＮ・ＯＦＦ信号により大入賞口ソレノイド（４３ｂ）を駆動し、その大入賞口ソレノイド（４３ｂ）の駆動により大入賞口（４１）が開閉する。また、メインＣＰＵ（１１２）は、特別図柄表示装置（３２）、音声制御装置（７９）およびランプ制御装置（７５）にそれぞれ備えられたサブ基板へ制御コマンドを送信し、各装置により、画像、音声および光による演出が行われる。このような制御が行われているときに電源が遮断すると、大入賞口（４１）の開閉回数および開口時間などを示すデータと、メインＣＰＵ（１１２）が各サブ基板へ送信していた制御コマンドとがＲＡＭ（１１６）にバックアップされる。
ここで、電源復帰時にスイッチをＯＮした場合に、ＲＡＭ（１１６）にバックアップされている大入賞口（４１）に関するデータのみが消去され、各サブ基板へ送信していた制御コマンドが消去されないとすると、電源復帰後に大入賞口（４１）は開口しないが、メインＣＰＵ１１２から再送信された制御コマンドを受信した各装置が、電源遮断時の大当りの演出を再開してしまうという不整合が発生してしまう。
そこで、請求項２に記載するように、電源遮断時に、メインＣＰＵから、賞球の払出しを制御する払出制御基板および払出制御基板以外の各サブ基板へ送信していた制御コマンドであって第１のＲＡＭにバックアップされていた制御コマンドを消去することができるようにすれば、バックアップされている制御コマンドが電源復帰後にメインＣＰＵ（１１２）から各サブ基板へ送信されることがないため、上記不整合が生じるおそれがない。
また、第１のスイッチおよび第２のスイッチを個別に操作することにより、制御コマンドおよび賞球払出しに関するデータを個別に消去することができる。
なお、上記括弧内の符号は、後述する発明の実施の形態において使用する符号と対応するものである。
【手続補正１０】
【補正対象書類名】明細書
【補正対象項目名】００１４
【補正方法】変更
【補正の内容】
【００１４】
請求項３に記載の発明では、請求項２に記載の遊技機において、前記第１のＲＡＭにバックアップされた前記制御コマンドの消去完了を報知する第１のＬＥＤと、前記第２のＲＡＭにバックアップされた前記賞球払出しに関するデータの消去完了を報知する第２のＬＥＤと、を備えたという技術的手段を用いる。
【手続補正１１】
【補正対象書類名】明細書
【補正対象項目名】００１５
【補正方法】変更
【補正の内容】
【００１５】
つまり、第１のＲＡＭにバックアップされた制御コマンドの消去完了を第１のＬＥＤにより報知することができるため、遊技店（パチンコホール）の従業員は、第１のＲＡＭにバックアップされた制御コマンドの消去完了を容易に知ることができる。また、第２のＲＡＭにバックアップされた賞球払出しに関するデータの消去完了を第２のＬＥＤにより報知することができるため、遊技店（パチンコホール）の従業員は、第２のＲＡＭにバックアップされた賞球払出しに関するデータの消去完了を容易に知ることができる。
たとえば、後述する発明の実施の形態に記載するように、ＬＥＤ１０１およびＬＥＤ２０１の消灯により、主基板１００に搭載されたマイクロプロセッサ１１０に内蔵のＲＡＭ１１６にバックアップされていた制御コマンドおよびマイクロプロセッサ２１０に内蔵のＲＡＭ２１６にバックアップされていた賞球払出しに関するデータの消去が完了したことを知ることができる。
したがって、たとえば開店準備作業を行う場合に、ＬＥＤ１０１およびＬＥＤ２０１が点灯・点滅しているパチンコ機（遊技機）を対象としてバックアップデータの消去作業をすることができるため、作業効率を高めることができる。
【手続補正１２】
【補正対象書類名】明細書
【補正対象項目名】００１６
【補正方法】変更
【補正の内容】
【００１６】
また、前記スイッチは、プッシュＯＮ式のスイッチにすることにより、スイッチを押すだけのワンタッチでＲＡＭにバックアップされているデータを消去することができるため、容易かつ迅速にデータ消去処理を行うことができる。
【手続補正１３】
【補正対象書類名】明細書
【補正対象項目名】００１７
【補正方法】変更
【補正の内容】
【００１７】
さらに、前記スイッチを電源基板に設けることもできる。
つまり、電源基板は、他の基板とは異なり、遊技の内容に関係しない部分であるため、新しい機種の遊技機を製造する場合、遊技を制御する基板は新しい基板に交換するが、電源基板は、古い機種に使用されていたものをそのまま利用することが多い。
したがって、上記スイッチを上記遊技を制御する基板に設けると、新しい機種を製造する毎に、スイッチごと基板を交換することになってしまい、製造コストの無駄が生じてしまうが、スイッチを電源基板に設けることにより、そのような無駄の発生をなくすことができる。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
また、メモリクリア信号をＲＡＭへ出力する回路を電源基板に設けることにより、回路への電源供給経路を最短にすることができる。
したがって、電源供給経路が長い場合と比較して、電源供給経路に外来ノイズが侵入する確率を低くすることができる。
【手続補正１８】
【補正対象書類名】明細書
【補正対象項目名】００２２
【補正方法】変更
【補正の内容】
【００２２】
請求項４に記載の発明では、請求項１ないし請求項３のいずれか１つに記載の遊技機において、前記メモリクリア信号を出力できる期間が設定されており、その期間が経過すると前記メモリクリア信号を出力できないという技術的手段を用いる。
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
前記第２のＲＡＭが、パチンコホールの開店前に試射した際の賞球の払出しに関するデータをバックアップ可能である場合は、スイッチを操作することにより、第２のＲＡＭにバックアップされている、パチンコホールの開店前に試射した際の賞球の払出しに関するデータを消去することができる。
したがって、第２のＲＡＭの記憶に基づいて所定数の賞球が払出されてしまい、店側が不利益をこうむってしまうおそれがない。
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】変更
【補正の内容】
【００２７】
前記第１のＲＡＭが、開店前の試射中に発生した、遊技を制御するための制御データをバックアップ可能である場合は、スイッチを操作することにより、第１のＲＡＭにバックアップされている、開店前の試射中に発生した、遊技を制御するための制御データを消去することができる。
たとえば、開店前の試射中に遊技者に有利な遊技状態（たとえば、大当り）が発生し、そのときの制御データが第１のＲＡＭにバックアップされると、開店後にその遊技機で遊技を開始した場合に、最初から遊技者に有利な遊技になってしまい、遊技者間に不公平感を与える事態が発生してしまうが、第１のＲＡＭのバックアップデータを消去できるため、そのような事態が発生するおそれがない。
【手続補正２３】
【補正対象書類名】明細書
【補正対象項目名】００７２
【補正方法】変更
【補正の内容】
【００７２】
［各請求項と実施形態との対応関係］
ＲＡＭ１１６，２１６が、この発明の請求項１に係るＲＡＭに対応し、クリア信号出力回路８４が回路に対応し、スイッチＳＷ１，ＳＷ２がスイッチに対応する。また、ＲＡＭ１１６が請求項２に記載の第１のＲＡＭに、ＲＡＭ２１６が第２のＲＡＭに、スイッチＳＷ１が第１のスイッチに、スイッチＳＷ２が第２のスイッチにそれぞれ対応する。